(57)【特許請求の範囲】
【請求項１】
２つの第１の貫通孔が形成されて対向配置された一対の内プレートの上記貫通孔に、各々当該内プレートと直交する方向に配置された２本のブシュの各端部が挿通されて固定されることにより一体化された複数の内リンクユニットと、これら内リンクユニットの上記ブシュ内に挿入されたピンと、隣接する上記内リンクユニットの上記内プレートの外面側に跨って配置されるとともに上記ピンの端部が挿通される２つの第２の貫通孔が形成された外プレートとを備え、上記外プレートの上記第２の貫通孔に各々隣接する上記内リンクユニットの上記ブシュから突出する上記ピンの両端部が挿通されて固定されることにより連結され、環状に形成されたチェーンにおいて、
上記内プレートおよび上記外プレートは、中心部に上記第１の貫通孔または上記第２の貫通孔が穿設された１対の円板部と、上記第１の貫通孔または第２の貫通孔の中心を結ぶ中心線の一側方において上記円板部を連結させるとともに外周縁が上記円板部の外周縁を接線方向に直線で結ぶ第１の連結部と、上記中心線の他側方において上記円板部を連結させるとともに外周縁が上記円板部の外周縁を凹曲線で結ぶ第２の連結部とを有し、上記内プレートおよび上記外プレートの一方は、上記第１の連結部を上記環状の外側に位置させるとともに、他方は上記第１の連結部を上記環状の内側に位置させて配置されていることを特徴とする異形プレートチェーン。
【請求項２】
上記外プレートの上記第１の連結部には、軽量化のための孔部が穿設されていることを特徴とする請求項１に記載の異形プレートチェーン。
【請求項３】
上記内プレートおよび上記外プレートの上記第１の連結部の表面と平面状の外周面との間には、第１の面取り加工が施されていることを特徴とする請求項１または２に記載の異形プレートチェーン。
【請求項４】
上記内プレートの対向面側であって、上記円板部および上記第２の連結部の表面と外周面との間には、第２の面取り加工が施されていることを特徴とする請求項１ないし３のいずれかに記載の異形プレートチェーン。
【発明の詳細な説明】
【技術分野】
【０００１】
本発明は、スプロケット間に掛け渡されて動力を伝達するために用いられる異形プレートチェーンに関するものである。
【背景技術】
【０００２】
各種の運搬機器や産業機器等において、モータ等の駆動源の回転を機器類に伝達するためのチェーンが用いられている。
図５は、従来のこの種のチェーン２０を示すもので、図中符号２１が内リンクユニットである。この内リンクユニット２１は、平行に配置された一対の円筒状のブシュの外周にローラ２２が回動自在に外装されるとともに、ブシュの両端部に内プレート２３が固定されて一体化されたものである。
【０００３】
そして、内リンクユニット２１が、チェーンの延在方向に複数配置されるとともに、内プレート２３の外表面側には、隣接する内リンクユニット２１同士を連結するための外プレート２５が配置されている。
【０００４】
そして、内リンクユニット２１の内プレート２３およびブシュ内には、上記チェーンの幅方向にピン２４が緩く挿通され、当該ピン２４の両端部が外プレート２５に挿通されて固定されることにより連結され、環状の上記チェーンが構成されている。
【０００５】
ここで、内プレート２３は、中心部にブシュが挿通される２つの貫通孔２３ａが穿設された一対の円板部２６と、これら円板部２６の外縁同士を凹曲線で結ぶ連結部２７とが一体に形成された外観ひょうたん型（または８字状）の板状の部材で、上記２つの貫通孔２３ａへブシュがしまりばめによって圧入されることにより当該ブシュと一体化されている。
【０００６】
また、外プレート２５は、中心部にピン２４が挿通される２つの貫通孔２５ａが穿設された一対の円板部２８と、これら円板部２８の外縁同士を凹曲線で結ぶ連結部２９とが一体に形成された外観８字状（またはひょうたん型）の板状の部材で、上記２つの貫通孔２５ａに挿入されたピン２４の端部が加締められることにより当該ピン２４と一体化されている。
【０００７】
上記構成からなるチェーン２０は、図６に示すように、例えばモータ等の出力軸３１に一体化された駆動側スプロケット３２と、回転を伝達すべき機器類の入力軸３３に固定された従動側スプロケット３４との間に配設され、上記スプロケット３２、３４の歯がローラ２２間に挿入されて両スプロケット３２、３４間に掛け渡され、使用に供されるものである。なお、下記特許文献１にも、同様の構成を有するチェーンが開示されている。
【先行技術文献】
【特許文献】
【０００８】
【特許文献１】特開２００８−２４００６２号公報
【発明の概要】
【発明が解決しようとする課題】
【０００９】
ところで、一般に上記チェーン２０をスプロケット３２、３４間に掛け渡すに際して、チェーン２０には幾分の弛みが形成される。また、使用時に、ブシュとピン２４との間の摺動によって生じる磨耗によって、経時的にチェーン２０の長さ寸法が大きくなり、これによっても上記弛みが増加する。
【００１０】
このため、上記チェーン２０を使用するにあたっては、通常、過度の弛みによってチェーン２０の走行が不安定になることを防止するために、スプロケット３２、３４間に上記チェーン２０を下方からガイドするためのスライダー３５、３６が配置されている。
【００１１】
ちなみに、スライダー３５は、チェーン２０のスプロケット３２、３４間の上側を走行する部分２０ａを下方からガイドするためにチェーン２０の内側に配置され、スライダー３６は、スプロケット３２、３４間の下側を走行する部分２０ｂを下方からガイドするためにチェーン２０の外側に配置されている。
【００１２】
ところが、このようなスライダー３５、３６を設けた場合に、内プレート２３の上記スライダー３５、３６に接触する部分が、円板部２６における円弧状の外周縁であって点接触に近く、よって衝撃を受けやすい。これにより、振動や損傷、局部的伸びが発生し易い。これに加えて、駆動側スプロケット３２における回転数の変動等に起因して、特定の内プレート２３がスライダー３５、３６に衝突する現象が生じる。このため、内プレート２３の円板部２６に、局部的な磨耗や損傷が発生し易いという問題点があった。
【００１３】
本発明は、上記事情に鑑みてなされたものであり、内プレート干渉による振動や損傷、局部的な伸びの発生を防止して安定走行を実現することができるとともに、ひいては一層の軽量化も達成することが可能になる異形プレートチェーンを提供することを課題とするものである。
【課題を解決するための手段】
【００１４】
上記課題を解決するため、請求項１に記載の発明は、２つの第１の貫通孔が形成されて対向配置された一対の内プレートの上記貫通孔に、各々当該内プレートと直交する方向に配置された２本のブシュの各端部が挿通されて固定されることにより一体化された複数の内リンクユニットと、これら内リンクユニットの上記ブシュ内に挿入されたピンと、隣接する上記内リンクユニットの上記内プレートの外面側に跨って配置されるとともに上記ピンの端部が挿通される２つの第２の貫通孔が形成された外プレートとを備え、上記外プレートの上記第２の貫通孔に各々隣接する上記内リンクユニットの上記ブシュから突出する上記ピンの両端部が挿通されて固定されることにより連結され、環状に形成されたチェーンにおいて、上記内プレートおよび上記外プレートは、中心部に上記第１の貫通孔または上記第２の貫通孔が穿設された１対の円板部と、上記第１の貫通孔または第２の貫通孔の中心を結ぶ中心線の一側方において上記円板部を連結させるとともに外周縁が上記円板部の外周縁を接線方向に直線で結ぶ第１の連結部と、上記中心線の他側方において上記円板部を連結させるとともに外周縁が上記円板部の外周縁を凹曲線で結ぶ第２の連結部とを有し、上記内プレートおよび上記外プレートの一方は、上記第１の連結部を上記環状の外側に位置させるとともに、他方は上記第１の連結部を上記環状の内側に位置させて配置されていることを特徴とするものである。
【００１５】
また、請求項２に記載の発明は、請求項１に記載の発明において、上記外プレートの上記第１の連結部には、軽量化のための孔部が穿設されていることを特徴とするものである。
【００１６】
さらに、請求項３に記載の発明は、請求項１または２に記載の発明において、上記内プレートおよび上記外プレートの上記第１の連結部の表面と平面状の外周面との間には、第１の面取り加工が施されていることを特徴とするものである。
【００１７】
また、請求項４に記載の発明は、請求項１〜３のいずれかに記載の発明において、上記内プレートの対向面であって、上記円板部および上記第２の連結部の表面と外周面との間には、第２の面取り加工が施されていることを特徴とするものである。
【発明の効果】
【００１８】
請求項１〜４のいずれかに記載の発明においては、内プレートおよび外プレートの一対の円板部に穿設された第１の貫通孔または第２の貫通孔の中心を結ぶ中心線の一側方に、上記円板部を連結させるとともに外周縁が上記円板部の外周縁を接線方向に直線で結ぶ第１の連結部を形成するとともに、上記内プレートおよび外プレートの一方を、第１の連結部が環状をなすチェーンの外側に位置するように、他方を第１の連結部が上記環状の内側に位置するように配置している。
【００１９】
このため、スプロケット間を走行する当該チェーンの過度の垂れ下がりを防止するために、チェーンのスプロケット間の上側を走行する部分を下方からガイドするスライダーを環状チェーンの内側に配置し、スプロケット間の下側を走行する部分を下方からガイドするスライダーを環状チェーンの外側に配置した場合に、いずれのスライダーにおいても、チェーンを、その内プレートまたは外プレートの第１の連結部における直線状の平坦な外周面で案内することができる。
【００２０】
この結果、内プレートおよび外プレートとスライダーとの接触が面接触になるために、内プレートおよび外プレートにおける振動や損傷、局部的な伸びの発生を防止して、安定的な走行を実現することができる。
さらに、内プレートおよび外プレートの第１の貫通孔または第２の貫通孔の中心を結ぶ中心線の他側方においては、円板部間に、外周縁が当該円板部の外周縁を凹曲線で結ぶ第２の連結部を形成しているために、内プレートおよび外プレートの軽量化も実現することができる。
【００２１】
さらに、外プレートの第２の貫通孔に挿入されるピンは、内プレートの第１の貫通孔に挿入されるブシュよりも小径であるために、第２の貫通孔の内径は第１の貫通孔の内径よりも小径になる。この結果、請求項２に記載の発明のように、上記外プレートの第１の連結部に孔部を穿設すれば、内プレートと同等の強度を確保した上で一層の軽量化を図ることができる。
【００２２】
また、本発明においては、内プレートおよび外プレートとスライダーとの接触が面接触になるために、局部的な磨耗を防止することができる反面、両者間に生じる摩擦力が大きくなる。そこで、請求項３に記載の発明にように、内プレートおよび外プレートの第１の連結部の表面と直線状の外周面との間に第１の面取り加工を施せば、上記スライダーと面接触する外周面の接触面積を小さくして上記摩擦力を低減させることができる。
【００２３】
加えて、請求項４に記載の発明によれば、一対の内プレートの対向面であって、円板部および第２の連結部の表面と外周面との間に第２の面取り加工を施しているために、当該内プレート間に歯合されるスプロケットの歯の側面との間に生じる摩擦力も低減させることが可能になる。
【図面の簡単な説明】
【００２４】
【図１】本発明の一実施形態を示す要部の斜視図である。
【図２】図１の分解斜視図である。
【図３】図１の外プレートを示すもので、（ａ）は正面図、（ｂ）は側面図である。
【図４】図１の内プレートを示すもので、（ａ）は正面図、（ｂ）は側面図である。
【図５】従来のチェーンを示す正面図である。
【図６】図５のチェーンをスプロケット間に掛け渡した使用状態図である。
【発明を実施するための形態】
【００２５】
図１〜図４は、本発明に係る異形プレートチェーンの一実施形態を示すもので、図中符号１が内リンクユニットである。
この内リンクユニット１は、平行に配置された２本の円筒状のブシュ２の外周にローラ３が回動自在に外装されるとともに、ブシュ２の端部が各々対向配置された一対の内プレート４の貫通孔（第１の貫通孔）５に挿入されて一体化されたものである。
【００２６】
そして、内リンクユニット１が、チェーンの延在方向に複数配置されるとともに、内プレート４の外表面側には、隣接する内リンクユニット１の内プレー４に跨ってこれら内リンクユニット１同士を連結するための外プレート６が配置されている。
【００２７】
そして、内リンクユニット１の内プレー４およびブシュ２内には、チェーンの幅方向にピン７が緩く挿通され、このピン７の両端部が外プレート６に穿設された貫通孔（第２の貫通孔）８に挿通されて固定されることにより連結され、環状のチェーンが構成されている。
【００２８】
ここで、外プレート６は、図３に示すように、中心部に第２の貫通孔８が穿設された１対の円板部９と、第２の貫通孔８の中心同士を結ぶ中心線Ｃ２の一側方（図中下側）において円板部９を連結させるとともに外周縁１０ａが円板部９の外周縁９ａを接線方向に直線で結ぶ第１の連結部１０と、中心線Ｃ２の他側方（図中上側）において円板部９を連結させるとともに外周縁１１が円板部９の外周縁９ａを凹曲線で結ぶ第２の連結部１１とによって形成されている。
【００２９】
そして、この外プレート６においては、第１の連結部１０に、当該第１の連結部１０から図中水平方向に円板部９の一部まで伸びる長穴状の孔部１２が穿設されている。
さらに、第１の連結部１０の表面と平板状の外周面１０ｂとの間には、面取り角度が約３０°の第１の面取り加工１３が施されている。
【００３０】
他方、内プレート４は、図４に示すように、中心部に第１の貫通孔５が穿設された１対の円板部１４と、第１の貫通孔５の中心同士を結ぶ中心線Ｃ１の一側方（図中上側）において円板部１４を連結させるとともに外周縁１５ａが円板部１４の外周縁１４ａを接線方向に直線で結ぶ第１の連結部１５と、中心線Ｃ１の他側方（図中下側）において円板部１４を連結させるとともに外周縁１６ａが円板部１４の外周縁１４ａを凹曲線で結ぶ第２の連結部１６とによって形成されている。
【００３１】
そして、この内プレート４においても、第１の連結部１５の表面と平板状の外周面１５ｂとの間に、面取り角度が約３０°の第１の面取り加工１７が施されている。
また、これら１対の内プレート４においては、互いの対向面側であって、円板部１４および第２の連結部１５の表面と外周面１４ｂの間に、面取り角度が約３０°の第２の面取り加工１８が施されている。
【００３２】
そして、このチェーンにおいては、内プレート４は、第１の連結部１５を上記環状の外側に位置させ、かつ外プレート６は、第１の連結部１０を上記環状の内側に位置させて配置されている。
【００３３】
以上の構成からなる異形プレートチェーンにおいては、内プレート４および外プレート６の一対の円板部９、１４に穿設された第１の貫通孔５または第２の貫通孔８の中心を結ぶ中心線Ｃ１、Ｃ２の一側方に、円板部９、１４を連結させるとともに外周縁１０ａ、１５ａが円板部９、１４の外周縁９ａ、１４ａを接線方向に直線で結ぶ第１の連結部１０、１５を形成し、内プレート４を第１の連結部１５が環状の外側に位置するように配置し、外プレート６を第１の連結部１０が環状の内側に位置するように配置している。
【００３４】
このため、図６に示したように、スプロケット間を走行するチェーンの過度の垂れ下がりを防止するために、スライダー３５、３６をチェーンの内側および外側に配置した場合に、内側のスライダー３５によって外プレート６の第１の連結部１０における直線状の外周面１０ｂを案内し、外側のスライダー３６によって内プレート４の第１の連結部１５における直線状の外周面１５ｂを案内することができる。
【００３５】
この結果、内プレート４および外プレート６とスライダー３５、３６との接触が平坦な面接触になるために、内プレート４および外プレート６における振動や損傷、局部的な伸びの発生を防止して、安定的な走行を実現することができる。
【００３６】
しかも、内プレート４および外プレート６の第１の貫通孔５または第２の貫通孔８の中心を結ぶ中心線Ｃ１、Ｃ２の他側方においては、円板部９、１４同士を外周縁１１ａ、１６ａが円板部９、１４の外周縁９ａ、１４ａを凹曲線で結ぶ第２の連結部１１、１６によって連結しているために、内プレート４および外プレート６の軽量化も実現することができる。
【００３７】
さらに、内プレート４よりも第２の貫通孔８の内径が小さい外プレート６の第１の連結部１０に、孔部１２を穿設しているために、内プレート４と同等の強度を確保した上で一層の軽量化を図ることができる。
【００３８】
また、内プレート４および外プレート６の第１の連結部１０、１５の表面と直線状に平坦な外周面１０ｂ、１５ｂとの間に第１の面取り加工１３、１７を施しているために、上記スライダーと面接触する外周面１０ｂ、１５ｂの接触面積を小さくして案内時に生じる摩擦力を低減させることができる。
【００３９】
加えて、一対の内プレート４の対向面であって、円板部１４および第２の連結部１６の表面と外周面１４ｂとの間に第２の面取り加工１８を施しているために、内プレート４間に歯合されるスプロケットの歯の側面との間に生じる摩擦力も低減させることができる。
【００４０】
なお、上記実施形態においては、内プレート４を、第１の連結部１５が上記環状チェーンの外側に位置するように配置し、かつ外プレート６を、第１の連結部１０が上記環状チェーンの内側に位置するように配置した場合に付いて説明したが、本発明はこれに限定されるものではなく、逆に内プレート４を、第１の連結部１５が上記環状チェーンの内側に位置するように配置し、外プレート６を、第１の連結部１０が上記環状チェーンの外側に位置するように配置しても同様の効果を得ることができる。
【符号の説明】
【００４１】
１  内リンクユニット
２  ブシュ
４  内プレート
５  第１の貫通孔
６  外プレート
７  ピン
８  第２の貫通孔
９、１４  円板部
１０、１５  第１の連結部
１１、１６  第２の連結部
９ａ、１０ａ、１１ａ、１４ａ、１５ａ、１６ａ  外周縁
１０ｂ、１４ｂ、１５ｂ  外周面
１２  孔部
１３、１７  第１の面取り加工
１８  第２の面取り加工
Ｃ１、Ｃ２  中心線
【要約】
【課題】内プレートおよび外プレートの干渉による振動や損傷、局部的な伸びの発生を防止して安定走行を実現することができる異形プレートチェーンを提供する。
【解決手段】内プレート４および外プレート６は、中心部に第１の貫通孔５または第２の貫通孔８が穿設された１対の円板部９、１４と、第１の貫通孔または第２の貫通孔の中心を結ぶ中心線Ｃの一側方において円板部を連結させるとともに外周縁が円板部の外周縁を接線方向に直線で結ぶ第１の連結部１０、１５と、中心線Ｃの他側方において円板部を連結させるとともに外周縁が円板部の外周縁を凹曲線で結ぶ第２の連結部１１、１５とを有し、内プレート４および外プレート６の一方は、第１の連結部１０、１５を環状の外側に位置させるとともに、他方は第１の連結部１５、１０を環状の内側に位置させて配置されている。
【選択図】図３【図１】
0005975139.tif 000002
【図２】
0005975139.tif 000003
【図３】
0005975139.tif 000004
【図４】
0005975139.tif 000005
【図５】
0005975139.tif 000006
【図６】
0005975139.tif 000007